(57)【要約】      （修正有）【課題】樹脂フィルムで被覆された段ボール箱の四隅部の空隙を消失させ、箱体の四隅部に液密性を保有させることにより、液体の収納を可能とする。【解決手段】底面板(1a)、正面板(1b)、背面板(1c)、側面板(1d)からなる段ボール箱資材(１)と、該段ボール箱資材(１)を被覆する樹脂フィルム(２)とからなり、該樹脂フィルム(２)は段ボール箱資材(１)の表裏両面を被覆すると共に、正面板(1b)、背面板(1c)及び両側面板(1d)の切欠部を補填する隅角補填部(2a)を有する方形状をなしていることを特徴とする樹脂フィルムで被覆した段ボール箱である。【選択図】図１
2017218178.tif 000002
【特許請求の範囲】
【請求項１】
底面板(1a)、正面板(1b)、背面板(1c)、側面板(1d)からなる段ボール箱資材(１)と、該段ボール箱資材(１)を被覆する樹脂フィルム(２)とからなり、該樹脂フィルム(２)は段ボール箱資材(１)の表裏両面を被覆すると共に、正面板(1b)、背面板(1c)及び両側面板(1d)の切欠部を補填する隅角補填部(2a)を有する方形状をなしていることを特徴とする樹脂フィルムで被覆した段ボール箱。
【請求項２】
両側面板(1d)に、取手板(３)を延設し、該取手板(３)に手指を挿入可能な指掛孔(3a)を穿設して取手部としたことを特徴とする請求項１記載の樹脂フィルムで被覆した段ボール箱。
【請求項３】
両側片に連続して折込片(５)を連接すると共に、隅角補填部(2a)内に折込受入片(６)を内装し、折込受入片(６)の内側に折込片(５)を折り込んで、段ボール箱を組み立て可能としたことを特徴とする請求項１記載の樹脂フィルムで被覆した段ボール箱。
【発明の詳細な説明】
【技術分野】
【０００１】
この発明は、樹脂フィルムで被覆した段ボール箱に関し、特に液密性を有する段ボール箱に関する。
【背景技術】
【０００２】
従来、段ボール箱が湿気による強度の低下や、段ボール箱の製造工程中に段ボールシートの中芯に入り込んだ紙粉の脱落による環境の汚染を防止するために、本発明者は段ボール箱を樹脂フィルムで被覆する方法を、特開２０１４−７６８１６号公報（特許文献１）で提案した。該特許文献に開示された発明は、段ボール箱を袋状に形成した樹脂フィルム内に収納し、樹脂フィルムを段ボール箱の周縁に沿ってシールしつつ空気を吸引除去して切除し、密着させたものである。かかる従来の段ボール箱では、折曲げられた四隅部に空隙が存在しているため、液密性を有しないという問題が存在していた。
【先行技術文献】
【特許文献】
【０００３】
【特許文献１】特開２０１４−７６８１６号公報
【発明の概要】
【発明が解決しようとする課題】
【０００４】
この発明は、樹脂フィルムで被覆された段ボール箱の四隅部の空隙を消失させ、箱体の四隅部に液密性を保有させることにより、液体の収納を可能としたものである。
【課題を解決するための手段】
【０００５】
前記課題を解決するために、この発明は、底面板(1a)、正面板(1b)、背面板(1c)、側面板(1d)からなる段ボール箱資材(１)と、該段ボール箱資材(１)を被覆する樹脂フィルム(２)とからなり、該樹脂フィルム(２)は段ボール箱資材の表裏両面を被覆すると共に、正面板、背面板及び両側面板の切欠部を補填する隅角補填部(2a)を有する方形状をなしていることを特徴とする樹脂フィルムで被覆した段ボール箱である。
【０００６】
両側面板(1d)に、取手板(３)を延設し、該取手板(３)に手指を挿入可能な指掛孔(3a)を穿設して取手部としたことを特徴とする樹脂フィルムで被覆した段ボール箱である。
【０００７】
両側片に連続して折込片(５)を連接すると共に、隅角補填部(2a)内に折込受入片(６)を内装し、折込受入片(６)の内側に折込片(５)を折り込んで、段ボール箱を組み立て可能としたことを特徴とする樹脂フィルムで被覆した段ボール箱である。
【発明の効果】
【０００８】
本発明の樹脂フィルムで被覆した段ボール箱によれば、樹脂フィルムで被覆された段ボール箱の四隅部の空隙を消失させ、箱体の四隅部に液密性を保有させることにより、段ボール箱を形成したときに、箱体に液密性を保持させることが出来るために、液体を収納して保管、運搬が可能となる。
【図面の簡単な説明】
【０００９】
【図１】この発明にかかる段ボール箱の基本形態を示す展開図
【図２】該基本形態の段ボール箱の組み立て状態を示す斜視図
【図３】実施例１の段ボール箱の展開図
【図４】図３Ａ−Ａ’線に沿った断面図
【図５】同実施例１の段ボール箱の組み立て途中を示す図
【図６】同実施例１の段ボール箱の組み立て図
【図７】実施例２の段ボール箱の展開図
【図８】同実施例２の段ボール箱の組み立て途中を示す図
【図９】同実施例２の折込片の折り込み状態を示す図
【図１０】同実施例２の折込片が折り込まれた部分の縦断面図
【図１１】同実施例２の段ボール箱の組み立て図
【発明を実施するための形態】
【００１０】
この発明の好ましい実施の形態を、以下に詳細に説明する。
【００１１】
図１、２は、この発明にかかる段ボール箱の基本的な形態を示し、段ボール箱資材(１)は、底面板(1a)、正面板(1b)、背面板(1c)、側面板(1d)からなり、底面板(1a)の周縁から正面板(1b)、背面板(1c)及び両側面板(1d)を折れ線に沿って折曲げて立設することにより、上面を開放した方形の箱が形成される。(２)は、該段ボール箱資材(１)を被覆する樹脂フィルムであり、段ボール箱資材の表裏両面を被覆する二枚のフィルムからなり、正面板(1b)、背面板(1c)及び両側面板(1d)の切欠部を補填する隅角補填部(2a)を有する方形状をなしている。この隅角補填部(2a)は、図２に示すように、正面板(1b)、背面板(1c)及び両側面板(1d)を立設したとき、三角形状に折り畳まれて隅角部の空隙を補填し、段ボール箱の液密性が確保される。三角形状に折り畳まれた隅角補填部(2a)は、そのままでも差し支えないが、好ましくは正面板(1b)、背面板(1c)もしくは両側面板(1d)のいずれかに、或は隅角補填部(2a)同士を互いに止着して、固定する。
【００１２】
樹脂フィルム(２)は、段ボール箱資材(１)を被覆し、且、隅角補填部(2a)を作出する方形の２枚のフィルムからなり、段ボール箱資材(１)の表裏両面を被覆し、周縁をシールして、段ボール箱資材を内部に収納する袋状に形成される。周縁のシール時若しくはシール後、樹脂フィルム(２)内の空気を吸引除去して、樹脂フィルムを段ボール箱資材(１)の表裏面に密着させる。尚、樹脂フィルム(２)は、予め袋状に形成して、段ボール箱資材(１)を収納後、開口部をシールしても良い。
【００１３】
樹脂フィルム(２)は、ポリエチレン、ポリプロピレン、ポリ塩化ビニル、ナイロン或はこれらを積層するなどしたフィルム素材として一般に広く用いられているものを使用することが出来る。樹脂フィルムのシールは、例えば２枚の樹脂フィルムに１５〜５０キロヘルツ程度で超音波振動する振動ヘッドを押し当て、生ずる摩擦熱により接合する超音波溶着方により行うことが出来るが、超音波溶着（超音波シール）する工程中に、袋体を減圧吸引すれば、樹脂フィルムのシールと共に袋体内部の空気を除去することが出来る。
【００１４】
正面板(1b)、背面板(1c)及び両側面板(1d)の立設と、三角形状に折り畳まれた隅角補填部(2a)とにより、図２に示す上面を開放した方形の段ボール箱が形成される。形成された段ボール箱は、樹脂フィルムの柔軟性と水密性とにより、容易に折り畳むことが出来ると共に、水密性の確保が可能となる。又、樹脂フィルムと段ボール箱資材とは接着剤等で接着されていないので、シールを破壊すれば、容易に分離することが出来、樹脂フィルムと段ボール資材とを分別して廃棄することが可能となる。又、樹脂フィルム(２)で水密性が保持されているので、段ボール箱資材が湿気等で劣化したり汚染するおそれがなくなると共に、段ボール箱資材の製造時に発生し中芯に入り込んだ紙粉等の脱落を防止し、環境の汚染を回避することも可能となる。
【実施例１】
【００１５】
この発明の実施例１を図３〜６を参照して説明する。この実施例１は前記図１、２に示す基本形態に取手部と窓孔を設けたものである。すなわち、両側面板(1d)に、取手板(３)を延設し、該取手板(３)に手指を挿入可能な指掛孔(3a)を穿設して取手部とする。指掛孔(3a)は、段ボール箱資材(１)と樹脂フィルム(２)とに連続して穿設され貫通している。(４)は、正面板(1c)及び背面板(1d)に形成された窓孔であり、段ボール箱資材に穿設され、樹脂フィルムで被覆される。樹脂フィルム(２)を透明若しくは半透明とすることにより、窓孔(４)を透して内部を視認することが可能となるので、金魚等を水と共に収納し、鑑賞することが出来る。又、指掛孔(3a)に手指をかけて、金魚等と水を収納したまま運ぶことも容易となる。
【実施例２】
【００１６】
図７〜１１を参照して、この発明の実施例２を説明する。この実施例２の態様は、両側片(1d)に連続して折込辺(５)を連接すると共に、隅角補填部(2a)内に折込受入片(６)を内装し、折込受入片(６)の内側に折込片(５)を折り込んで、段ボール箱を組み立て可能としたことを特徴とするものである。
【００１７】
折込片(５)は、基部折曲部(5a)と折込舌片(5b)とを有し、基部折曲部(5a)は、折込受入片(６)を重畳したときの厚みに相当する折曲幅を有しており、折込舌片(5b)は、若干先細の幅に形成されており、重畳された折込受入片(６)の内側に差し込むことが可能である。折込受入片(６)は、段ボール資材(１)の正面板(1b)と側面板(1d)及び背面板(1c)と側面板(1d)にそれぞれ連接された方形の張出片として形成され、折込受入片(６)を三角形状に折曲し得る折曲線(6a)が形成されている。
【００１８】
段ボール箱組み立てのために、正面板(1b)、背面板(1c)及び両側面板(1d)を立設した時、図８に示すように、折込受入片(６)は三角形状に折り畳まれ、図９に示すように、両側面板(1d)の外側に折り曲げて、重畳することが出来る。図１０に示すように、折込辺(５)を側面板(1d)から折曲げて、重畳された折込受入片(６)の外側に重ね、折込舌片(5b)を折込受入片(６)の内側に差し込むことにより、折込辺(５)が安定して保持され、図１１に示すように、段ボール箱を組み立てることが出来る。
【００１９】
折込受入片(６)は、図示の実施例では段ボール箱資材(１)に一体的に設けたが、一体的である必要はない。別体の段ボール資材で形成しても良く、又、別体の一枚の段ボール紙を内装しても良い。又、折り曲げ線を形成することに代わって、予め三角形状に形成した段ボール紙を並べて内装しても良い。更に、段ボール紙である必要はなく、強度のある厚紙や、プラスチック板であっても良い。
【符号の説明】
【００２０】
(１)段ボール箱資材
(1a)底面板
(1b)正面板
(1c)背面板
(1d)側面板
(２)樹脂フィルム
(2a)隅角補填部
(３)取手板
(3a)指掛孔
(４)窓孔
(５)折込片
(5a)基部折曲部
(5b)折込舌片
(６)折込受入片
【図１】
2017218178.tif 000003
【図２】
2017218178.tif 000004
【図３】
2017218178.tif 000005
【図４】
2017218178.tif 000006
【図５】
2017218178.tif 000007
【図６】
2017218178.tif 000008
【図７】
2017218178.tif 000009
【図８】
2017218178.tif 000010
【図９】
2017218178.tif 000011
【図１０】
2017218178.tif 000012
【図１１】
2017218178.tif 000013